(57)【特許請求の範囲】
【請求項１】
車両の略上下方向に立設するピラー上に配置され、把持部の両側に前記ピラーへの固定部を備え、該両側の固定部のうち、一方の固定部が他方の固定部より車両上下方向における上方に位置するように前記ピラーに取付けてなるアシストグリップの取付け構造において、前記上方の固定部が固定される部分のピラー板厚を、前記下方の固定部が固定される部分のピラー板厚よりも厚くしたことを特徴とするアシストグリップの取付け構造。
【請求項２】
車両の略上下方向に立設するピラー上に配置され、把持部の両側に前記ピラーへの固定部を備えたアシストグリップの取付け構造において、前記ピラーの室内側上側の板厚を下側の板厚よりも厚くすると共に、前記アシストグリップの一方の固定部を前記ピラーの上側板厚部に固定し、他方の固定部を前記上側板厚部よりも板厚が薄い下側板厚部に固定したことを特徴とするアシストグリップの取付け構造。
【請求項３】
車両の略上下方向に立設するピラー上に配置され、把持部の両側に前記ピラーへの固定部を備えたアシストグリップの取付け構造において、前記ピラーの室内側の板厚が変化する境界線を設定し、該境界線の車両上下方向における上側のピラーの板厚を下側の板厚よりも厚くすると共に、前記アシストグリップの両側の固定部の間に前記境界線が位置するように前記アシストグリップを前記ピラーに固定したことを特徴とするアシストグリップの取付け構造。
【請求項４】
車両の略上下方向に立設するピラー上に配置され、把持部の両側に前記ピラーへの固定部を備え、該両側の固定部のうち、一方の固定部が他方の固定部より車両上下方向における上方に位置するように前記ピラーに取付けてなるアシストグリップの取付け構造において、前記上方の固定部が固定される部分のピラー板材を、前記下方の固定部が固定される部分のピラー板材よりも高強度としたことを特徴とするアシストグリップの取付け構造。
【請求項５】
車両の略上下方向に立設するピラー上に配置され、把持部の両側に前記ピラーへの固定部を備えたアシストグリップの取付け構造において、前記ピラーの室内側の板強度が変化する境界線を設定し、該境界線の車両上下方向における上側のピラー板材を下側の板材よりも高強度とすると共に、前記アシストグリップの両側の固定部の間に前記境界線が位置するように前記アシストグリップを前記ピラーに固定したことを特徴とするアシストグリップの取付け構造。
【請求項６】
前記両側の固定部のうち、上方の固定部寄りに前記境界線が位置するようにアシストグリップをピラーに固定したことを特徴とする請求項３または５記載のアシストグリップの取付け構造。
【請求項７】
前記ピラーはフロントガラスに隣接するフロントピラーであって、該フロントピラーの下側よりも板厚が厚いかまたは高強度の上側部分に、ルーフサイド側またはルーフ前側の構造部材への接合部を設けたことを特徴とする請求項２〜６のいずれかに記載のアシストグリップの取付け構造。
【請求項８】
前記ピラーは、板厚の違う鋼板を溶接してからプレス成形するか、または、圧延時にロールの隙間を変化させて鋼板の厚みを作り分けることにより、車両上下方向における上側の板厚を下側の板厚よりも厚くしたものであることを特徴とする請求項２、３、６、７のいずれかに記載のアシストグリップの取付け構造。
【請求項９】
前記ピラーは、強度の違う鋼板を溶接してからプレス成形することにより、車両上下方向における上側の板材を下側の板材よりも高強度としたものであることを特徴とする請求項４〜７のいずれかに記載のアシストグリップの取付け構造。
【発明の詳細な説明】
【技術分野】
【０００１】
本発明は、自動車の車体構造に関する。特にワンボックスカーやトラックのような、フロントピラーにアシストグリップが装備されている自動車のアシストグリップの取付け構造に関する。
【背景技術】
【０００２】
自動車室内側の開口部周辺には、乗員が把持できる様、種々のアシストグリップが取り付けられている。例えば、走行時の車体の揺れに対して乗員が身体を支える事が出来る様、車室内のルーフ側部などにアシストグリップが取り付けられる。
【０００３】
このようなアシストグリップは、身体を支えるのに十分な支持強度が要求される一方、所定値以上の衝撃荷重が作用した際は、乗員の頭部への影響を回避または軽減し得ることも必要とされる。そこで、衝撃吸収部を備えた支持メンバを介して車体にアシストグリップを取り付けることにより、上記の２つの要求を可能とする技術が公開されている（特許文献１参照）。
【０００４】
しかしながら、トラックやワンボックスカーのようなフロアが高い自動車へ乗り込む時の補助用具としてアシストグリップを設ける場合、非特許文献１（図７）に示すようにアシストグリップ７２をフロントピラー７１などのピラー類に取付ける場合が多く、特に、フロントピラー７１はドライバーの視界確保のために細くするのが望ましいため、前記特許文献１のような支持メンバを設けるスペースを確保できない場合があった。
【０００５】
【特許文献１】特開２００１−１５０９９９号公報
【非特許文献１】山海堂発行「自動車工学全書、第13巻、乗用車の車体」、第168頁
【発明の開示】
【発明が解決しようとする課題】
【０００６】
本発明はこのような実状に鑑みてなされたものであって、その目的は、広い取付けスペースを必要とすることなく、乗員が身体を支えるのに十分な支持強度を備える一方、所定値以上の衝撃荷重が作用した際は、乗員の頭部への影響を回避または軽減し得ることが可能なアシストグリップの取付け構造を提供することにある。
【課題を解決するための手段】
【０００７】
上記従来技術の有する課題を解決すべく検討した結果、アシストグリップの取付けにおいて、把持部両側の固定強度に差を設け、所定値以上の衝撃荷重が作用した際に、一方の固定部で集中的に変形や破損が起こるように誘導することで、より狭いスペースで必要とする衝撃吸収効果が得られるという知見を得た。
【０００８】
即ち、本発明は、車両の略上下方向に立設するピラー上に配置され、把持部の両側に前記ピラーへの固定部を備え、該両側の固定部のうち、一方の固定部が他方の固定部より車両上下方向における上方に位置するように前記ピラーに取付けてなるアシストグリップの取付け構造において、前記上方の固定部が固定される部分のピラー板厚を、前記下方の固定部が固定される部分のピラー板厚よりも厚くした。
【０００９】
また、本発明は、車両の略上下方向に立設するピラー上に配置され、把持部の両側に前記ピラーへの固定部を備えたアシストグリップの取付け構造において、前記ピラーの室内側上側の板厚を下側の板厚よりも厚くすると共に、前記アシストグリップの一方の固定部を前記ピラーの上側板厚部に固定し、他方の固定部を前記上側板厚部よりも板厚が薄い下側板厚部に固定した。
【００１０】
更に、本発明は、車両の略上下方向に立設するピラー上に配置され、把持部の両側に前記ピラーへの固定部を備えたアシストグリップの取付け構造において、前記ピラーの室内側の板厚が変化する境界線を設定し、該境界線の車両上下方向における上側のピラーの板厚を下側の板厚よりも厚くすると共に、前記アシストグリップの両側の固定部の間に前記境界線が位置するように前記アシストグリップを前記ピラーに固定した。
【００１１】
また、本発明は、車両の略上下方向に立設するピラー上に配置され、把持部の両側に前記ピラーへの固定部を備え、該両側の固定部のうち、一方の固定部が他方の固定部より車両上下方向における上方に位置するように前記ピラーに取付けてなるアシストグリップの取付け構造において、前記上方の固定部が固定される部分のピラー板材を、前記下方の固定部が固定される部分のピラー板材よりも高強度とした。
【００１２】
更に、本発明は、車両の略上下方向に立設するピラー上に配置され、把持部の両側に前記ピラーへの固定部を備えたアシストグリップの取付け構造において、前記ピラーの室内側の板強度が変化する境界線を設定し、該境界線の車両上下方向における上側のピラー板材を下側の板材よりも高強度とすると共に、前記アシストグリップの両側の固定部の間に前記境界線が位置するように前記アシストグリップを前記ピラーに固定した。
【００１３】
また、本発明において、前記両側の固定部のうち、上方の固定部寄りに前記境界線が位置するようにアシストグリップをピラーに固定した取付け構造を採用した。更に、本発明において、前記ピラーはフロントガラスに隣接するフロントピラーであって、該フロントピラーの下側よりも板厚が厚いかまたは高強度の上側部分に、ルーフサイド側またはルーフ前側の構造部材への接合部を設けた。
【００１４】
更に、本発明において、前記ピラーは、板厚の違う鋼板を溶接してからプレス成形するか、または、圧延時にロールの隙間を変化させて鋼板の厚みを作り分けることにより、車両上下方向における上側の板厚を下側の板厚よりも厚くした。また、強度の違う鋼板を溶接してからプレス成形することにより、車両上下方向における上側の板材を下側の板材よりも高強度となるようにした。
【発明の効果】
【００１５】
上述の如く、本発明に係るアシストグリップの取付け構造は、車両の略上下方向に立設するピラー上に配置され、把持部の両側に前記ピラーへの固定部を備え、該両側の固定部のうち、一方の固定部が他方の固定部より車両上下方向における上方に位置するように前記ピラーに取付けてなるアシストグリップの取付け構造において、前記上方の固定部が固定される部分のピラー板厚を、前記下方の固定部が固定される部分のピラー板厚よりも厚くしたので、上方の固定部によりアシストグリップを使用した際の剛性感を向上でき、乗員が身体を支えるのに十分な支持強度を確保することができる一方、所定値以上の衝撃荷重が作用した際は、下方が変形して上方の固定部を中心にアシストグリップが回転して衝撃を吸収する為、乗員の頭部への影響を回避または軽減し得ることが可能となる。
【００１６】
また、衝突時などの特殊な事態により乗員がアシストグリップを握った状態でどちらかの固定部が破損する場合、上方の固定部が破損すると、乗員が把持している把持部より下方の固定部を中心にアシストグリップが大きく回転するため、乗員の体勢も大きく変化し、バランスを崩しやすくなる虞があるが、下方の固定部が破損する場合は、把持部よりも上方の固定部を中心にアシストグリップが若干振れるのみの回転となる為、乗員は容易に体勢を保つ事ができる。
【００１７】
以上の効果は、車両の略上下方向に立設するピラー上に配置され、把持部の両側に前記ピラーへの固定部を備えたアシストグリップの取付け構造において、前記ピラーの室内側上側の板厚を下側の板厚よりも厚くすると共に、前記アシストグリップの一方の固定部を前記ピラーの上側板厚部に固定し、他方の固定部を前記上側板厚部よりも板厚が薄い下側板厚部に固定した構成、または、前記ピラーの室内側の板厚が変化する境界線を設定し、該境界線の車両上下方向における上側のピラーの板厚を下側の板厚よりも厚くすると共に、前記アシストグリップの両側の固定部の間に前記境界線が位置するように前記アシストグリップを前記ピラーに固定した構成、または、車両の略上下方向に立設するピラー上に配置され、把持部の両側に前記ピラーへの固定部を備え、該両側の固定部のうち、一方の固定部が他方の固定部より車両上下方向における上方に位置するように前記ピラーに取付けてなるアシストグリップの取付け構造において、前記上方の固定部が固定される部分のピラー板材を、前記下方の固定部が固定される部分のピラー板材よりも高強度とした構成、または、車両の略上下方向に立設するピラー上に配置され、把持部の両側に前記ピラーへの固定部を備えたアシストグリップの取付け構造において、前記ピラーの室内側の板強度が変化する境界線を設定し、該境界線の車両上下方向における上側のピラー板材を下側の板材よりも高強度とすると共に、前記アシストグリップの両側の固定部の間に前記境界線が位置するように前記アシストグリップを前記ピラーに固定した構成によっても同様に得られる。
【００１８】
また、上述した各構成においては、板厚を変える、あるいは、板材の強度を変えるという方法で、アシストグリップの上下の取付け強度を変化させているため、従来のようなスペースを要する支持ブラケット等を必要とする事が無く、ピラーを細く保つことができる。このため、乗員の視界も充分に確保できる。
【００１９】
また、前記ピラーの室内側の板厚が変化する境界線の車両上下方向における上側のピラーの板厚を下側の板厚よりも厚くすると共に、前記両側の固定部のうち、上方の固定部寄りに前記境界線が位置するようにアシストグリップをピラーに固定した構成を採用することにより、板厚の厚い部分が必要最小限となり材料の節約と車重の軽減に寄与できる。
【００２０】
更に、前記ピラーはフロントガラスに隣接するフロントピラーであって、該フロントピラーの下側よりも板厚が厚いかまたは高強度の上側部分に、ルーフサイド側またはルーフ前側の構造部材への接合部を設けたので、衝突時に座屈が生じやすい当該箇所の強度を向上でき、フロントピラー上部における座屈を生じさせる事無く、フロントピラーに加わる荷重をサイドルーフに伝達させることができ、キャビンの変形抑制に寄与できる。
【００２１】
前記ピラーは、板厚の違う鋼板を溶接してからプレス成形するか、または、圧延時にロールの隙間を変化させて鋼板の厚みを作り分けることにより、車両上下方向における上側の板厚を下側の板厚よりも厚くしたものであるので、生産性が良好であると共に、接合部の強度、寸法精度、見栄えの向上などを可能とすることができる。また、前記ピラーを、強度の違う鋼板を溶接してからプレス成形することにより、車両上下方向における上側の板強度を下側の板強度よりも高強度としたものとした場合にも、上記同様、生産性が良好であると共に、接合部の強度、寸法精度、見栄えの向上などを可能とすることができる。
【発明を実施するための最良の形態】
【００２２】
以下、本発明を図示の実施の形態に基づいて詳細に説明する。
図１は、本発明の実施の形態に係るアシストグリップの取付け構造を採用したフロントピラー１を室内側から見た図であり、図１ではフロントピラー１は内装材を取除いた状態で示されている。
【００２３】
アシストグリップ２は、フロントガラス１２と車体側部のドアガラスの間に位置するフロントピラー１の長さ方向に沿うように取り付けられ、図６に示すように、把持部２ｃの上下両端にフロントピラー１への固定部２ａ、２ｂを備えている。
【００２４】
フロントピラー１は、車両後方に傾斜した形状に形成され、上方の端部１aはルーフサイドの構造部材（図４に示すサイドルーフインナー３等）に連結され、この上方端部１aのやや手前の上縁部に図示しないルーフの前側の構造部材への連結部１ｂを設けている。一方、下方端部１ｃは車両側部前方を構成する図示しないフロントドアヒンジ部の構造部材に連結される。
【００２５】
フロントピラー１の室内側を構成するフロントピラーインナー４には、前述のアシストグリップ２を固定する上方の固定部４ａおよび下方の固定部４ｂを設け、この固定部４ａと固定部４ｂの間に、フロントピラーインナー４の板厚が変化する境界線Pを設けている。この境界線Pを境に、フロントピラーインナー４の板厚は変化し、上側部分４ｃの板厚が下側部分４ｄの板厚よりも厚くなるようにしている。従って、アシストグリップ２の上方の固定部２aは板厚が厚い上側部分４ｃに固定され、下方の固定部２ｂは板厚が薄い下側部分４ｄに固定される。
【００２６】
また、ルーフサイドの構造部材に連結される上端部１a、およびルーフの前側の構造部材への連結部１ｂも、前記上方の固定部４ａとともに、板厚が厚い上側部分４ｃに配置される。厚い板厚を確保する必要があるのは、固定部４ａまでで良い為、境界線Pはできるだけ固定部４ａ寄りに設けるのが材料節約の点で好ましい。
【００２７】
上側部分４ｃの板厚を下側部分４ｄよりも厚くする方法としては、板厚の違う鋼板をレーザー溶接やプラズマ溶接で接合してからプレス成形する、いわゆるテーラードウェルドブランク工法や、圧延時にロールの隙間を適宜調整して鋼板の厚みを作り分ける、いわゆるテーラードロールドブランク工法が好適である。また、図５に示すように、フロントピラーインナー４を上側部材４ｅと下側部材４ｆとに分割し、上側部材４ｅを下側部材４ｆより板厚の厚い鋼板で成形した後、それらをスポット溶接等で接合しても良い。テーラードウェルドブランクやテーラードロールドブランクのような一体ものとした場合、分割した二部材を成形後に接合する場合と比較して、剛性面でより好ましい。
【００２８】
次に、図２に上方の固定部４ａでのＡ−Ａ断面、および図３に下方の固定部４ｂでのＢ−Ｂ断面を示す。各図において、フロントピラー１は、室外側の意匠面を構成する比較的形成が容易な薄い板厚で形成されたフロントピラーアウター５と、室内側に配置されるフロントピラーインナー４により閉断面形状に形成され、このフロントピラーアウター５とフロントピラーインナー４の間に補強部材としてフロントピラーアウター５よりも板厚の厚いフロントピラーリンフォース６が挟持されている。
【００２９】
フロントピラーリンフォース６はフロントピラーアウター５に略沿う形状に形成され、フロントピラーアウター５寄りに一定の間隔をおいて配置されており、フロントピラーインナー４とフロントピラーリンフォース６により閉断面を有する略筒状の空間１３が形成される。また、フロントピラーインナー４の室内側はフロントピラートリム１１で覆われ、フロントピラートリム１１の車両前方側の縁部はフロントウィンドウ１２に臨む様に配置される。
【００３０】
そして、フロントピラーインナー４の板厚の厚い上側部分４ｃには、上方の固定部４ａに対応する位置の裏面（閉断面側の内面）に、ウェルドナット７が配置され、板厚の薄い下側部分４ｄには、下方の固定部４ｂに対応する位置の裏面（閉断面側の内面）にはウェルドナット８を配置している。また、フロントピラーインナー４の上記各固定部４ｃ，４ｄの周囲は室内側に膨出し、その裏面にウェルドナット７，８を設けるスペースを確保している。
【００３１】
アシストグリップ２には適度な強度を有するとともに乗員保護のため適度な弾性を有する樹脂が使用され、その内部にはアシストグリップ２に必要な支持強度を付与する芯金２dが通っており、該芯金２dの両端部はアシストグリップ２の上下の固定部２ａ，２ｂに連なっている。そして、アシストグリップ２の上方の固定部２ａは、フロントピラーインナー４の板厚の厚い上側部分４ｃに固定したウェルドナット７に、スクリュー９などの締結部材で強固に締結される。また、アシストグリップ２の下方の固定部２ｂは、フロントピラーインナー４の板厚の薄い下側部分４ｄに固定したウェルドナット８に、スクリュー１０などの締結部材で強固に締結される。
【００３２】
次に、上記実施形態に基づく作用および効果について述べる。
【００３３】
アシストグリップ２は、図１に示したようにフロントピラー１の長さ方向に沿うように取り付けられているため、フロアの高い自動車へ乗り込む際や、走行時の車体の揺れに対して身体を支える際に乗員がアシストグリップ２を把持した場合、下方の固定部２ｂよりも上方の固定部２ａに荷重が大きくかかることになる。
【００３４】
上記実施形態のアシストグリップ２においては、フロントピラー１の上側部分４ｃの板厚を下側部分４ｄの板厚よりも増やし、板厚が厚い箇所（４ｃ）にアシストグリップ２の上方の固定部２ａを固定し、板厚が薄い箇所（４ｄ）に下方の固定部２ｂを固定することにより、荷重が大きくかかる上方の固定部２ａによりアシストグリップ２を把持した際における剛性感が得られ、乗員が身体を支えるのに十分な支持強度を確保することができる。
【００３５】
一方、アシストグリップ２に室内側から所定値以上の衝撃荷重が作用した際は、下方の固定部２ｂを固定した板厚が薄い固定箇所（下側部分４ｄ）が変形して衝撃を吸収する為、乗員の頭部への影響を回避または軽減し得ることが可能となる。
【００３６】
また、何らかの特殊な事態により、通常の使用時を越える負荷がアシストグリップにかかった場合、上方の固定部２ａが破損すると、乗員が把持している把持部２ｃより下方の固定部２ｂを中心にアシストグリップ２が大きく回転するため、乗員の体勢も大きく変化し、バランスを崩しやすくなる虞がある。しかし、上記実施形態のアシストグリップ２では、板厚が薄い箇所（４ｄ）に固定された下方の固定部２ｂが先に破損することになり、この場合には、把持部２ｃよりも上方の固定部２ａを中心にアシストグリップ２が若干振れるのみの回転となる為、乗員は容易に体勢を保つ事ができる。
【００３７】
また、上記実施形態のアシストグリップ２においては、取付け部分（４ｃ，４ｄ）の板厚を異ならせるという方法でアシストグリップ２の上下の取付け強度を異ならせ、下方の変形を誘導することにより衝撃を吸収する構成としているため、従来のように支持ブラケット等を設けるスペースを別途必要とする事が無く、スペース的な制約のあるフロントピラー１への実施に最適である。
【００３８】
また、上記実施形態のアシストグリップ２においては、アシストグリップ２の上方の固定部２ａを固定したフロントピラーインナー４の上側部分４ｃの板厚が厚く、該上側部分４ｃに、サイドルーフへの接合部（上端部１a）およびルーフの前側の構造部材への接合部（連結部１ｂ）を配置させているため、図４に示すように、衝突時に座屈が生じやすい箇所Xの強度を向上させることができる。従って、フロントピラー上部における座屈が生じにくく、フロントピラー１に加わる荷重をサイドルーフに伝達させ、キャビンの変形抑制に寄与することができる。
【００３９】
尚、上記各実施形態のアシストグリップ２においては、フロントピラーインナー４の板厚が変化する上側部分４ｃと下側部分４ｄの境界線Pが、フロントピラー１のほぼ幅方向に配向された直線である場合を示したが、本発明はこれに限定されるものではなく、境界線Pの方向や、形状は本発明の範囲内において変更可能である。また、板厚が変化する上側部分４ｃと下側部分４ｄの間や固定部４ａ，４ｂ以外の部位に、それらと板厚の異なる部分が存在しても構わない。更に、図示例では車両右側のフロントピラー１について示したが、本発明は車両左側のフロントピラーは勿論、フロントピラー以外のピラーにも適用可能である。
【００４０】
上記実施形態のアシストグリップ２においては、取付け部分（４ｃ，４ｄ）の板厚を異ならせることでアシストグリップ２の上下の取付け強度を異ならせる構成について述べたが、取付け部分（４ｃ，４ｄ）の材質を異ならせアシストグリップ２の上下の取付け強度を異ならせる構成とすることもできる。
【００４１】
例えば、図１における境界線Pを境に、フロントピラーインナー４の材質を変化させ、上側部分（４ｃ）の鋼板が下側部分（４ｄ）の鋼板よりも高強度となるようにすることで、上方の固定部２ａによりアシストグリップ２に剛性感、支持強度を向上する一方、衝撃荷重作用時の下側部分４ｄの変形による衝撃吸収、乗員の頭部保護など、先に述べた実施形態と同様の効果が期待できる。但し、車重の軽減には下側部分４ｄの板厚を薄くする構成が有利である。また、上側部分４ｃ、下側部分４ｄの材質と同時に板厚を異ならせることもできる。
【００４２】
上側部分４ｃと下側部分４ｄの材質及び強度を変化させる方法としては、先述したテーラードウェルドブランク工法を適用できる。即ち、材質及び強度が異なる鋼板をレーザー溶接やプラズマ溶接で接合してからプレス成形すれば良い。通常、自動車のボディに使用する鋼板（高張力鋼、通称ハイテン）は引張り強度により区別されるが、塑性変形などに対する強度もこれに準じるので、引張り強度を基準にして所望する衝撃吸収性能や支持強度に応じて材質を選定することができる。
【００４３】
以上、本発明の実施の形態につき述べたが、本発明は既述の実施の形態に限定されるものではなく、本発明の技術的思想に基づいて各種の変形および変更が可能である。
【図面の簡単な説明】
【００４４】
【図１】本発明の実施形態に係るアシストグリップ取付け構造を採用したフロントピラーを示す室内側側面図である。
【図２】図１のＡ−Ａ断面図である。
【図３】図１のＢ−Ｂ断面図である。
【図４】フロントピラーとサイドルーフの関係を示す室内側側面図である。
【図５】本発明の変形例におけるフロントピラーを示す室内側側面図である。
【図６】アシストグリップを示す斜視図である。
【図７】アシストグリップをフロントピラーに取り付けた状態を示す斜視図である。
【符号の説明】
【００４５】
１  フロントピラー
１ａ  端部
１ｂ  連結部
１ｃ  下端部
２  アシストグリップ
２ａ  固定部（上側）
２ｂ  固定部（下側）
２ｃ  把持部
２ｄ  芯金
３  サイドルーフインナー
４  フロントピラーインナー
４ａ  固定部（上側）
４ｂ  固定部（下側）
４ｃ  上側部分（上側板厚部）
４ｄ  下側部分（下側板厚部）
４ｅ  上側部材
４ｆ  下側部材
５  フロントピラーアウター
６  フロントピラーレインフォース
７，８  ウェルドナット
９，１０  スクリュー
１１  フロントピラートリム
１２  フロンドウィンドウ
１３  空間
【図１】
0004735131.tif 000002
【図２】
0004735131.tif 000003
【図３】
0004735131.tif 000004
【図４】
0004735131.tif 000005
【図５】
0004735131.tif 000006
【図６】
0004735131.tif 000007
【図７】
0004735131.tif 000008